(57)【要約】  【課題】洗浄ノズルへの洗浄水の送水が終了した際に，食器洗い乾燥機内部に設けられたヒータと対向する位置以外の位置に，前記洗浄ノズルを停止させて，洗浄ノズルの過熱を防止しうる食器洗い乾燥機を提供する。  【解決手段】洗浄ノズル１１１ａは，その回転中心に同軸のノズルピラー１２３ａに対して前記回転軸の方向に摺動自在で且つ回転自在に冠着している。洗浄ノズル１１１ａには，前記洗浄水が噴射される噴射口１２７，及び尾根形状の歯受け１３０ａが設けられている。またノズルピラー１２３ａには，前記洗浄水を洗浄ノズル１１１ａに吐水する吐水口１２６及び１２６ａ，歯受け１３０ａの形状に対応する形状を有した歯１２９ａが設けられている。このことにより，歯１２９ａと歯受け１３０ａとが係合することで，洗浄ノズル１１１ａをヒータ４と対向する位置以外の位置に停止させることができる。【選択図】図３
2005230326.tif 000002
【特許請求の範囲】
【請求項１】
食器の洗浄及び乾燥を行う食器洗い乾燥機であって，
前記食器に向けて洗浄水を噴射する複数の噴射口を備え，回転しながら該複数の噴射口から前記洗浄水を前記食器に噴射する洗浄ノズルと，
前記食器洗い乾燥機に取り込まれた外気を加熱して前記食器を乾燥するヒータとを具備してなる食器洗い乾燥機において，
前記洗浄ノズルへの前記洗浄水の送水が終了した際に前記ヒータと対向する位置以外の位置に前記洗浄ノズルを停止させる洗浄ノズル停止手段を設けてなること特徴とする食器洗い乾燥機。
【請求項２】
前記洗浄ノズル停止手段が，前記回転する洗浄ノズル側のノズル側係合手段と前記食器洗い乾燥機本体側の本体側係合手段とを具備してなり，前記ノズル側係合手段と前記本体側係合手段とが係合することで前記洗浄ノズルを停止させるものである請求項１に記載の食器洗い乾燥機。
【請求項３】
前記洗浄ノズルへの送水停止に伴って，前記本体側係合手段と前記ノズル側係合手段とを相対的に近接させることにより前記ノズル側係合手段に前記本体側係合手段を係合させ，該係合によって前記本体側係合手段が前記ノズル側係合手段を前記ヒータと対向する位置以外の位置まで回動駆させる請求項２に記載の食器洗い乾燥機。
【請求項４】
前記洗浄ノズルの回転が停止する前に前記本体側係合手段を前記ノズル側係合手段に対して相対移動させ，前記ノズル側係合手段を前記本体側係合手段に係合させて前記洗浄ノズルを前記ヒータと対向する位置以外の位置で停止させるようにしてなる請求項２に記載の食器洗い乾燥機。
【請求項５】
前記本体側係合手段と前記ノズル側係合手段とが前記洗浄ノズルの回転軸上に設けられてなる請求項３或いは４のいずれかに記載の食器洗い乾燥機。
【請求項６】
前記洗浄ノズルの停止する位置が前記ヒータと約９０度の位相を持った位置である請求項１〜５のいずれかに記載の食器洗い乾燥機。
【発明の詳細な説明】
【技術分野】
【０００１】
本発明は，食器の洗浄及び乾燥を行う食器洗い乾燥機に係り，特に，複数の噴射口から洗浄水を食器に噴射する回転式の洗浄ノズルへの洗浄水の送水が終了した際に，食器洗い乾燥機内部に設けられるヒータと対向する位置以外の位置に前記洗浄ノズルを停止させることを特徴とする食器洗い乾燥機に関するものである。
【背景技術】
【０００２】
一般に，食器洗い乾燥機では，その内部にヒータを設けることにより，該取り込まれた外部の空気がヒータによって加熱され，その加熱された空気を利用して食器の乾燥が行われている。このヒータによって，食器を洗浄する洗浄水の加熱も併せて行っている場合もある。このような，ヒータを内蔵する食器洗い乾燥機については，例えば特許文献１や特許文献２に示されているものが知られている。
特許文献１に示される食器洗い乾燥機では，食器の洗浄及び乾燥を行う洗浄槽内へ外部からファンを用いて取り込んだ空気を通す通風経路内に上記のようなヒータが，設けられている。このため，食器の洗浄を行う洗浄水と食器の乾燥を行う空気とが，同一のヒータにより加熱されている。また，特許文献２に示される食器洗い乾燥機についても，内部にヒータ，及び該ヒータを覆うヒータカバーが設けられており，上述した特許文献１に示される食器洗い乾燥機と同様に，食器の洗浄を行う洗浄水と食器の乾燥を行う空気とを前記ヒータが加熱している。
一方，前記特許文献１や前記特許文献２に示される食器洗い乾燥機には，食器かご（洗浄籠）とヒータとの間に，食器を洗浄する洗浄水を食器に向けて噴射する洗浄ノズルが設けられており，この洗浄ノズルから食器に向けて噴射する洗浄水の水圧を利用して食器を洗浄している。尚，この洗浄ノズルについては可動型と不動型のものがあるが，最近では，可動型（回転式）の洗浄ノズルが用いられた食器洗い乾燥機が多く見受けられる。
【０００３】
ここで，上述したヒータ，及び可動型（回転式）の洗浄ノズルを内蔵する従来の食器洗い乾燥機の一例である食器洗い乾燥機Ａについて，図７及び図８を用いて説明する。尚，図７は，食器洗い乾燥機Ａにおける食器を洗浄する洗浄工程時の側断面図，図８は従来の食器洗い乾燥機Ａにおける食器を乾燥する乾燥工程時の側断面図である。
このような従来の食器洗い乾燥機Ａでは，不図示の給水弁が開いて水道水が貯水部２１ａに満たされる。貯水部２１ａに貯水された水道水は，洗剤が混ぜられて洗浄水となり，更に，該洗浄水はヒータ４ａによって暖められる。その後，前記洗浄水は，ノズルピラー２３ａを経て洗浄ノズル１１ａに送水され，洗浄ノズル１１ａに設けられた複数の噴射口から，食器かご３ａに収容された食器１８ａに向けて洗浄水が噴射される。この噴射された洗浄水により，洗浄槽２ａ内にて食器かご３ａに収容された食器１８の洗浄が行われる。
このように洗浄工程では，貯水部２１ａに洗浄水が貯水されているので（図７），図のように，ヒータ４ａの真上に洗浄ノズル１１ａが停止している場合でも，洗浄ノズル１１ａに対してヒータ４ａの熱が伝わり難い。
また，食器洗い乾燥機Ａにおける，食器を乾燥させる乾燥工程では，貯水部２１ａの洗浄水が不図示の排水口から排水された後に，ファン１９から取り込んだ空気が，外部送風ダクト２０ａ，内部送風ダクト２２ａ，貯水部２１ａを経て洗浄槽２ａ内に送風される。この時，ヒータ４ａにて前記空気を加熱することにより，該空気を温風にして食器１８ａを乾燥させている（図８）。
【特許文献１】特開平８−９８７９８号公報
【特許文献２】特開２００２−６５５５８号公報
【発明の開示】
【発明が解決しようとする課題】
【０００４】
ここで，洗浄ノズル１１ａは平面視で横長矩形状をしており，一般に，前記噴射口から洗浄水を噴射する時の反作用力により回転される。そのため，洗浄ノズル１１ａへの洗浄水の送水が停止された際には洗浄ノズル１１ａは停止するが，停止位置が決まっていないこと，及び洗浄水の供給停止により洗浄ノズル１１ａを冷却する媒体がないので，例えば，図８に示されるように，ヒータ４ａの近傍，特に直上に洗浄ノズル１１ａが停止した場合，洗浄ノズル１１ａは乾燥工程におけるヒータの熱を過度に受けてしまうという問題がある。
かかる問題を回避するためには，例えば，特許文献１或いは特許文献２に示されるように，通風経路壁やヒータカバーによって，ヒータと洗浄ノズルとの間に仕切りを設けることにより，洗浄ノズルに対するヒータの熱影響を軽減することが考えられる。しかしながら，図８に示されるように，ヒータ４ａの直上に洗浄ノズル１１ａが停止した状態でヒータ４ａが高温になった時に，洗浄ノズル１１ａを構成する材質によっては，通風経路壁やヒータカバーだけでは，ヒータの熱影響を回避することが困難な場合もあり得る。このため，従来の食器洗い乾燥機では，ヒータの温度設定を低めに設定する，洗浄ノズルのヒータと対向する側を金属製にして耐熱性を高める，或いはヒータと洗浄ノズルとの距離を長くする等の対応が図られてきた。
しかしながら，ヒータの温度設定を敢えて低温にすると，食器洗い乾燥機における乾燥機能が低下するという問題が生じる。また，前記のように洗浄ノズルの一部のみを金属製にすると，生産コストが高くなってしまう可能性がある。更に，ヒータと洗浄ノズルとの距離を長くすると，食器洗い乾燥機が大型になってしまう。
従って，本発明は前記事情に鑑みてなされたものであり，その目的とするところは，洗浄ノズルへの洗浄水の送水が終了した際に，食器洗い乾燥機内部に設けられたヒータと対向する位置以外の位置に，前記洗浄ノズルを停止させて，洗浄ノズルの過熱を防止しうる食器洗い乾燥機を提供することにある。
【課題を解決するための手段】
【０００５】
前記目的を達成するために本発明は，食器の洗浄及び乾燥を行う食器洗い乾燥機であって，前記食器に向けて洗浄水を噴射する複数の噴射口を備え，回転しながら該複数の噴射口から前記洗浄水を前記食器に噴射する洗浄ノズルと，前記食器洗い乾燥機に取り込まれた外気を加熱して前記食器を乾燥するヒータとを具備してなる食器洗い乾燥機において，前記洗浄ノズルへの前記洗浄水の送水が終了した際に前記ヒータと対向する位置以外の位置に前記洗浄ノズルを停止させる洗浄ノズル停止手段を設けてなること特徴とする食器洗い乾燥機として構成される。
この場合，前記洗浄ノズル停止手段は，前記回転する洗浄ノズル側のノズル側係合手段と前記食器洗い乾燥機本体側の本体側係合手段とを具備してなり，前記ノズル側係合手段と前記本体側係合手段とが係合することで前記洗浄ノズルを停止させるものであることが望ましい。
【０００６】
また，前記食器洗い乾燥機において，例えば，前記洗浄ノズルへの送水停止に伴って，前記本体側係合手段と前記ノズル側係合手段とを相対的に近接させることにより前記ノズル側係合手段に前記本体側係合手段を係合させ，該係合によって前記本体側係合手段が前記ノズル側係合手段を前記ヒータと対向する位置以外の位置まで回動駆させることが考えられる。
【０００７】
更に，前記食器洗い乾燥機において，前記洗浄ノズルの回転が停止する前に前記本体側係合手段を前記ノズル側係合手段に対して相対移動させ，前記ノズル側係合手段を前記本体側係合手段に係合させて前記洗浄ノズルを前記ヒータと対向する位置以外の位置で停止させるようにしてもよい。
【０００８】
ここで，前記食器洗い乾燥機における前記本体側係合手段と前記ノズル側係合手段とについては，前記洗浄ノズルの回転軸上に設けられている場合があり得る。
【０００９】
尚，前記食器洗い乾燥機における前記洗浄ノズルの停止する位置については，前記ヒータと約９０度の位相を持った位置であることが望ましい。
【発明の効果】
【００１０】
本発明によれば，前記食器洗い乾燥機が前記洗浄ノズル停止手段を具備することによって，前記洗浄ノズルへの前記洗浄水の送水が終了した際に，前記洗浄ノズルは前記ヒータと対向する位置以外の位置（例えば，前記ヒータと約９０度の位相を持った位置）に停止される。このことにより，前記食器洗い乾燥機の乾燥工程において，前記ヒータが高温になった場合，前記洗浄ノズルが受ける前記ヒータからの熱影響を軽減すること可能である。その結果，従来の食器洗い乾燥機のように前記ヒータの温度設定を敢えて低温にする必要がなくなるので，食器乾燥機能の向上に繋がる。
また，前記洗浄ノズルが前記ヒータと対向する位置以外の位置に停止することにより，前記洗浄ノズルが受ける前記ヒータからの熱影響が軽減されるので，前記洗浄ノズルの一部を別途金属製にする必要がなくなり，食器洗い乾燥機製造時のコストダウンにも繋がる。
更に本発明では，前記洗浄ノズルの停止位置を定めることによって，前記洗浄ノズルが受ける前記ヒータからの熱影響を軽減している。このことにより，前記ヒータと前記洗浄ノズルとの距離を長くする必要がないので，食器洗い乾燥機の小型化にも繋がる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１の実施形態に係る食器洗い乾燥機Ｘ１（或いは第２の実施形態に係る食器洗い乾燥機Ｘ２）全体の正断面図，図２は第１の実施形態に係る食器洗い乾燥機Ｘ１（或いは第２の実施形態に係る食器洗い乾燥機Ｘ２）における乾燥工程の時の概略側断面図，図３は第１の実施形態に係る食器洗い乾燥機Ｘ１における，洗浄水の送水実施時の洗浄ノズル１１１ａ及びノズルピラー１２３ａを示した図，図４は第１の実施形態に係る食器洗い乾燥機Ｘにおける，洗浄水の送水停止時の洗浄ノズル１１１ａ及びノズルピラー１２３ａを示した図，図５は第２の実施形態に係る，食器洗い乾燥機Ｘ２における洗浄水の送水実施時の洗浄ノズル１１１ｂ及びノズルピラー１２３ｂを示した図，図６は第２の実施形態に係る，食器洗い乾燥機Ｘ２における洗浄水の送水停止時の洗浄ノズル１１１ｂ及びノズルピラー１２３ｂを示した図である。
【００１２】
＜第１の実施形態＞
先ず，図１を用いて第１の実施形態にかかる食器洗い乾燥機Ｘ１について説明する。尚，食器洗い乾燥機Ｘ１を構成する部材については，洗浄ノズル１１１ａ及びノズルピラー１２３ａを除いて，上述した従来の食器洗い乾燥機Ａを構成する部材と同様であるので，同じ番号を付して，ここでは簡単に説明する。
本発明にかかる食器洗い乾燥機Ｘ１は，図７及び図８に図示されている部材以外に，残菜を除去する残菜フィルター５，貯水部２１から洗浄水を吸い込む吸い込みホース６，吐き出しホース９，ノズルピラー１２３，及び洗浄ノズル１１１に洗浄水を送水するポンプ７，ポンプ７を駆動させる洗浄モータ８，食器洗浄後に排水口１３へ排水を送水する排水ホース１０，食器洗い乾燥機Ｘ１を制御する制御部１２，食器の乾燥に用いられた空気を排出する排気口１４，給水口１７から給水ホース１６を経て貯水部２１に給水される水道水の流れを調節する給水弁１５，洗浄ノズル１１１ａ，ノズルピラー１２３ａ等から主に構成されている。
【００１３】
以下，食器洗い乾燥機Ｘ１にて実施される，食器１８の洗浄（即ち洗浄工程），洗浄された食器１８の濯ぎ（即ち濯ぎ工程），及び食器１８の乾燥（即ち乾燥工程）について簡単に説明する。
先ず，食器洗い乾燥機Ｘ１の洗浄工程について説明する。
給水弁１５が開くと，給水ホース１６及び給水口１７を経て規定量の水道水が貯水部２１に注がれると共に，該貯水部２１に貯水される。尚，この貯水される水道水は洗剤と混ぜられて洗浄水になる。
その後，洗浄モータ８がポンプ７を回転駆動させると，洗浄水は，貯水部２１から吸い込みホース６を経てポンプに吸引され，更に，吐き出しホース９及びノズルピラー１２３ａを経て，洗浄ノズル１１１ａへ送水される。そして，洗浄ノズル１１１ａに設けられた複数の噴射口から，洗浄槽２内の食器かご３に収容された食器１８に向けて噴射される。この時，洗浄ノズル１１１ａは，洗浄水が食器１８に噴射された際の反作用により回転する。尚，洗浄ノズル１１１ａから噴射された洗浄水については，残菜フィルター５にて該洗浄水に含まれる残菜が濾過された後，再びポンプ７に吸引されるので，洗浄ノズル１１１ａのつまりが防止される。また，この洗浄工程が規定時間実施された後，汚れた洗浄水については，ポンプ７によって排水ホース１０を経て排水口１３から排水される。
ここで，食器洗い乾燥機Ｘ１における洗浄工程の間，前記洗浄水はヒータ４により加熱されて温水になっている。このように，食器洗い乾燥機Ｘ１では，洗浄水を温水にすることによって食器の洗浄効果の向上が図られている。尚，洗浄水の水温については，洗浄水が流れる経路内に設けられた不図示のセンサにより検知されており，制御部１２によって温度調節がなされている。
次に，食器洗い乾燥機Ｘ１では，洗浄された食器１８を濯ぐ，濯ぎ工程が実施される。この濯ぎ工程は，食器１８の汚れ度合いに応じ，任意にすすぎ回数を設定することが可能となっているが，詳しい説明については，ここでは省略する。
【００１４】
この濯ぎ工程終了後，食器洗い乾燥機Ｘ１では，濯がれた食器１８を乾燥させる乾燥工程が実施される。この乾燥工程について，図２を用いて説明する。尚，図２は，食器洗い乾燥機Ｘ１における乾燥工程の時の側断面図を示している。
まず，送風ファン１９が不図示のモータにより駆動されると，外部から乾燥した空気が矢印２４のように送風ファン１９に吸気される。吸気は水漏れを防ぐためにトラップ構造をした外部送風ダクト２０を経由し（矢印２５），内部送風ダクト２２を通り，貯水部２１に設けられたヒータ４近傍に送風される（矢印２６）。その後，前記空気は，ヒータ４により加熱され，洗浄槽２内の食器１８に吹き付けられた後，該食器１８の湿気と共にドア上部に設けられた排気口１４から排出される。この場合，食器洗い乾燥機Ｘ１には，食器１８の乾燥を促進するために，貯水部２１のヒータ４近傍に温度センサ等（不図示）が設られている。また，制御部１２により，前記温度センサにより検知された温度に基づいてヒータ４への通電が制御されている。
【００１５】
ここで，前記したように，図７及び図８に示される従来の食器洗い乾燥機Ａでは，濯ぎ工程後，洗浄ノズル１１ａの停止位置が特定されないため，洗浄水が排水された後の乾燥工程において，ヒータ４ａの近傍（特に直上）に停止し，ヒータ４ａによって過熱状態になる可能性があった。そこで，本発明にかかる食器洗い乾燥機Ｘでは，以下に述べるように洗浄ノズル１１１への洗浄水の送水が終了した際にヒータ４と対向する位置以外の位置に洗浄ノズル１１１を停止させる構成になっている。
以下，図２〜図４を用いて，本実施形態例にかかる食器洗い乾燥機Ｘ１が備える洗浄ノズル１１１（１１１ａ）の停止位置制御機構について説明する。尚，図２は食器洗い乾燥機Ｘ１における乾燥工程の時の概略側断面図，図３は食器洗い乾燥機Ｘ１における洗浄水の送水実施時の洗浄ノズル１１１ａ及びノズルピラー１２３ａを示した図，図４は食器洗い乾燥機Ｘ１における洗浄水の送水停止時の洗浄ノズル１１１ａ及びノズルピラー１２３ａを示した図である。尚，図３‐１及び図４‐１は正断面図，図３‐２及び図４‐２は側断面図，図３‐３及び図４‐３は歯１２９ａ及び歯受け１３０ａを拡大した斜視透過図である。
先ず，洗浄ノズル１１１ａ及びノズルピラー１２３ａの構成について説明する。
図３に示すように，洗浄ノズル１１１ａは，その回転中心に同軸のノズルピラー１２３ａに対して前記回転軸の方向に摺動自在で且つ回転自在に冠着している。そして洗浄ノズル１１１ａには，前記洗浄水が噴射される噴射口１２７，及び尾根形状の歯受け１３０ａ（本発明におけるノズル側係合手段の一例）が設けられている。またノズルピラー１２３ａには，前記洗浄水を洗浄ノズル１１１ａに吐水する吐水口１２６及び１２６ａ，歯受け１３０ａの形状に対応する形状を有した歯１２９ａ（本発明における本体側係合手段の一例）が設けられている。このことにより，歯１２９ａと歯受け１３０ａとが係合することで，洗浄ノズル１１１ａをヒータ４と対向する位置以外の位置に停止させることができる。ここで，ヒータ４からの熱影響が最も軽減される洗浄ノズル１１１ａの停止位置は，平面視で横長矩形状のヒータ４から最も遠ざかるように，該ヒータ４と約９０度の位相を持った位置である。そのため，例えば，歯１２９ａの尾根部がヒータ４ａに対して平行になるように，歯１２９ａ及び歯受け１３０ａを設けるとよい。
【００１６】
次に，洗浄ノズル１１１ａの停止位置が定まる仕組みについて説明する。
図３に示されるように，ポンプ７から送水された前記洗浄水が，位置固定のノズルピラー１２３ａの頂部に設けられた吐水口１２６ａから，ノズルピラー１２３ａと洗浄ノズル１１１ａとの間の空間Ｐａに吐水されると，該洗浄水の水圧によって洗浄ノズル１１１ａが上方向へ押し上げられ，歯１２９ａと歯受け１３０ａとが離れるので，洗浄ノズル１１１ａは自在に回転可能となる。この状態で，吐出口１２６から洗浄ノズル１１１ａに入り噴射口１２７から噴射される洗浄水の反作用により洗浄ノズル１１１ａが回転し，前記したように食器の洗浄が行われる。その後，ポンプ７が停止すると共に洗浄水の送水が停止すると，前記空間Ｐａ内の水圧が低下するので洗浄ノズル１１１ａは回転をしながら下方向に移動する。そして，洗浄ノズル１１１ａが緩やかに回転した状態で歯１２９ａと歯受け１３０ａとが接近し，歯受け１３０ａと歯１２９ａとが係合する。このことにより，洗浄ノズル１１１ａの回転が停止する（図４参照）。
ここで，歯１２９ａと歯受け１３０ａの形状については，夫々逆の形状であっても問題ない。また，歯１２９ａ及び歯受け１３０ａの数については，図中では夫々１つずつ設けられているが，これに限らず，洗浄ノズル１１１ａをヒータ４と対向する位置以外の位置に停止させることが可能であれば，複数設けられても良い。
尚，歯１２９ａ及び歯受け１３０ａが，本発明における洗浄ノズル停止手段の一例である。
【００１７】
＜第２の実施形態＞
次に，本発明の第２の実施形態に係る食器洗い乾燥機Ｘ２について図５及び図６を用いて，説明する。尚，食器洗い乾燥機Ｘ２の内部構成，及び洗浄工程から乾燥工程に至るまでの食器洗い乾燥機Ｘ２の動作については，上述した食器洗い乾燥機Ｘ１と同様であるので，ここでは説明を省略する。
図５は食器洗い乾燥機Ｘ２における洗浄水の送水実施時の洗浄ノズル１１１ｂ及びノズルピラー１２３ｂを示した図，図６は食器洗い乾燥機Ｘ２における洗浄水の送水停止時の洗浄ノズル１１１ｂ及びノズルピラー１２３ｂを示した図を示した図である。また，図５‐１及び図６‐１は正断面図，図５‐２及び図６‐２は側断面図，図５‐３及び図６‐３は歯１２９ｂ及び歯１３０ｂを拡大した斜視透過図である。
先ず，洗浄ノズル１１１ｂ及びノズルピラー１２３ｂの構成について説明する。
洗浄ノズル１１１ｂ及びノズルピラー１２３ｂの概略的構成については，後述する歯１２９ｂ（本発明における本体側係合手段の一例），及び歯１３０ｂ（本発明におけるノズル側係合手段の一例）を除いて，食器洗い乾燥機Ｘ１と同様である。また，食器洗い乾燥機Ｘ２では，歯１２９ｂと歯１３０ｂとを係合させることで洗浄ノズル１１１ａを停止させている。ここで，ヒータ４からの熱影響が最も軽減される洗浄ノズル１１１ｂの停止位置については，食器洗い乾燥機Ｘ１の場合と同様に，平面視で横長矩形状のヒータ４から最も遠ざかるように，該ヒータ４と約９０度の位相を持った位置である。そのため，例えば，歯１２９ｂの位置をヒータ４と約９０度の位相を持った位置に設けるとよい。
【００１８】
次に，洗浄ノズル１１１ｂの停止位置が定まる仕組みについて説明する。
図５に示されるように，ポンプ７から送水された前記洗浄水が，ノズルピラー１２３ｂの頂部に設けられた吐水口１２６ｂから，ノズルピラー１２３ｂと洗浄ノズル１１１ｂとの間の空間Ｐｂに吐水されると，該洗浄水の水圧によって洗浄ノズル１１１ｂが上方向へ押し上げられる。その結果，歯１２９ｂと歯１３０ｂとが接しない距離まで離れることによって，洗浄ノズル１１１ｂは自在に回転可能となる。この状態で，吐出口１２６から洗浄ノズル１１１ｂに入り噴射口１２７から噴射される洗浄水の反作用で洗浄ノズル１１１ｂが回転し，前記したように食器の洗浄が行われる。その後，ポンプ７が停止すると共に洗浄水の送水が停止すると，前記空間Ｐｂ内の水圧が低下するので洗浄ノズル１１１ｂは回転をしながら下方向に移動する。そして，洗浄ノズル１１１ｂが緩やかに回転した状態で，歯１２９ｂと歯１３０ｂとが接近し，やがて歯１２９ｂと歯１３０ｂとが係合する。このことにより，洗浄ノズル１１１ｂの回転が停止する（図６参照）。
ここで，歯１２９ｂと歯１３０ｂの形状については，夫々逆の形状であっても問題ない。また，歯１２９ｂ及び歯１３０ｂの数については，図中では夫々１つずつ設けられているが，これに限らず，洗浄ノズル１１１ｂをヒータ４と対向する位置以外の位置に停止させることが可能であれば，複数設けられても良い。
尚，歯１２９ｂ及び歯１３０ｂが，本発明における洗浄ノズル停止手段の一例である。
【００１９】
以上のように，第１の実施形態に係る食器洗い乾燥機Ｘ１，及び第２の実施形態に係る食器洗い乾燥機Ｘ２では，洗浄ノズル１１１ａ（１１１ｂ）及びノズルピラー１２３ａ（１２３ｂ）を夫々設けることにより，図２に示されるように，洗浄ノズル１１１ａ（１１１ｂ）の停止位置を，ヒータ４と約９０度の位相を持った位置にすることができる。しかし，これは一例であり，洗浄ノズル１１１ａ（１１１ｂ）の停止位置を，例えば，ヒータ４と対向しない位置，且つ前記残菜フィルター５と対向しない位置にすることにより，洗浄ノズル１１１ａ（１１１ｂ）が受けるヒータ４からの熱影響を軽減すると共に，利用者が残菜を処理する際に，容易に残菜フィルター５を食器洗い乾燥機Ｘ１（Ｘ２）から取り外せるような構成にすることもできる。
また，洗浄ノズル１１１ａ（１１１ｂ）については，前記したような構成でヒータ４と対向する位置以外の位置に停止させなくとも，洗浄水の送水が停止された際に，食器洗い乾燥機Ｘ１（Ｘ２）が備える不図示のモータを用いて機械的に予め定めた位置，即ち，ヒータ４と対向する位置以外の位置に停止させてもよい。
尚，歯１２９ａが歯受け１３０ａ以外の場所に当接した状態（或いは歯１２９ｂの尖端部と歯１３０ｂの尖端部とが当接した状態）で，洗浄ノズル１１１ａ（１１１ｂ）の回転が停止した場合には，前記不図示のモータ等を用いて洗浄ノズル１１１ａ（１１１ｂ）を僅かに回転駆動させて，歯受け１３０ａと歯１２９ａ（或いは歯１２９ｂと歯１３０ｂ）とを機械的に係合させるような制御が行われてもよい。
【図面の簡単な説明】
【００２０】
【図１】本発明の第１の実施形態に係る食器洗い乾燥機Ｘ１（或いは第２の実施形態に係る食器洗い乾燥機Ｘ２）全体の正断面図。
【図２】第１の実施形態に係る食器洗い乾燥機Ｘ１（或いは第２の実施形態に係る食器洗い乾燥機Ｘ２）における乾燥工程の時の概略側断面図。
【図３】第１の実施形態に係る食器洗い乾燥機Ｘ１における，洗浄水の送水実施時の洗浄ノズル１１１ａ及びノズルピラー１２３ａを示した図。
【図４】第１の実施形態に係る食器洗い乾燥機Ｘにおける，洗浄水の送水停止時の洗浄ノズル１１１ａ及びノズルピラー１２３ａを示した図。
【図５】第２の実施形態に係る，食器洗い乾燥機Ｘ２における洗浄水の送水実施時の洗浄ノズル１１１ｂ及びノズルピラー１２３ｂを示した図。
【図６】第２の実施形態に係る，食器洗い乾燥機Ｘ２における洗浄水の送水停止時の洗浄ノズル１１１ｂ及びノズルピラー１２３ｂを示した図。
【図７】従来の食器洗い乾燥機Ａにおける食器を洗浄する洗浄工程時の側断面図。
【図８】従来の食器洗い乾燥機Ａにおける食器を乾燥する乾燥工程時の側断面図。
【符号の説明】
【００２１】
１，１ａ…キャビネット
２，２ａ…洗浄槽
３，３ａ…食器かご
４，４ａ…ヒータ
５…残菜フィルター
６…吸い込みホース
７…ポンプ
８…洗浄モータ
９…吐き出しホース
１０…排水ホース
１１ａ，１１１ａ，１１１ｂ…洗浄ノズル
１２…制御部
１３…排水口
１４，１４ａ…排気口
１５…給水弁
１６…給水ホース
１７…給水口
１８，１８ａ…食器
１９，１９ａ…送風ファン
２０，２０ａ…外部送風ダクト
２１，２１ａ…貯水部
２２，２２ａ…内部送風ダクト
２３ａ，１２３ａ，１２３ｂ…ノズルピラー
２４，２５，２６…空気の流れ（矢印）
１２６，１２６ａ，１２６ｂ…吐水口
１２７…噴射口
１２９ａ，１２９ｂ，１３０ｂ…歯
１３０ａ…歯受け
Ｐａ，Ｐｂ…空間
【図１】
2005230326.tif 000003
【図２】
2005230326.tif 000004
【図３】
2005230326.tif 000005
【図４】
2005230326.tif 000006
【図５】
2005230326.tif 000007
【図６】
2005230326.tif 000008
【図７】
2005230326.tif 000009
【図８】
2005230326.tif 000010